(57)【要約】【課題】  本発明は、高感度及び高速応答にて生体信号（脈波、呼吸信号など）を検知することができると共に、収納又は輸送時には折り畳んでコンパクトにすることができる圧電センサ構造体を提供する。【解決手段】  本発明の圧電センサ構造体は、所定間隔を存して配設された複数個の振動受信板と、圧電シート、上記圧電シートの一面に積層一体化されたシグナル電極及び上記圧電シートの他面に積層一体化されたグランド電極を有し且つ上記複数個の振動受信板上に掛け渡された状態で配設された圧電センサとを有する圧電センサ構造体本体、及び上記圧電センサ構造体本体の両面に配設されたシールド層を有し、上記振動受信板間において屈曲させて折り畳み可能に構成されていることを特徴とする。【選択図】  図１
2018036060.tif 000002
【特許請求の範囲】
【請求項１】
所定間隔を存して配設された複数個の振動受信板と、
圧電シート、上記圧電シートの一面に積層一体化されたシグナル電極及び上記圧電シートの他面に積層一体化されたグランド電極を有し且つ上記複数個の振動受信板上に掛け渡された状態で配設された圧電センサとを有する圧電センサ構造体本体、及び
上記圧電センサ構造体本体の両面に配設されたシールド層を有し、上記振動受信板間において屈曲させて折り畳み可能に構成されていることを特徴とする圧電センサ構造体。
【請求項２】
圧電センサの上下幅が、振動受信板の上下幅よりも小さいことを特徴とする請求項１に記載の圧電センサ構造体。
【請求項３】
シグナル電極及びグランド電極と、圧電センサ構造体本体の両面に配設されたシールド層は、一体化されていないことを特徴とする請求項１又は請求項２に記載の圧電センサ構造体。
【請求項４】
圧電センサにおいて、シグナル電極及び／又はグランド電極は、圧電シートの一部にのみ積層一体化されていることを特徴とする請求項１〜３の何れか１項に記載の圧電センサ構造体。
【発明の詳細な説明】
【技術分野】
【０００１】
本発明は、圧電センサ構造体に関する。
【背景技術】
【０００２】
圧電シートは絶縁性の高分子材料に電荷を注入することにより、内部に永久帯電を付与した材料である。近年、圧電シートは、例えば、呼吸検知に用いられている。呼吸検知は、無呼吸症候群の患者の呼吸の検知、寝たきりの患者の状況把握、及び、睡眠時の状況の把握による健康管理を目的として行われている。
【０００３】
特許文献１には、振動センサが記載されており、圧電性フィルムをフレキシブルプリント基板を折り曲げて、折り曲げたフレキシブルプリント基板の内面の導体パターンを圧電性フィルムの電極として、圧電性フィルムの両面に貼り付け一体化し振動センサとすること、又、フレキシブルプリント基板の外面側の導体パターンをシールド層として使用することが記載されている。
【先行技術文献】
【特許文献】
【０００４】
【特許文献１】特許第５７３３４７９号公報
【発明の概要】
【発明が解決しようとする課題】
【０００５】
しかしながら、特許文献１に開示されている振動センサは、圧力応答が低いために感度が低く、呼吸信号や脈波などの生体信号の検知精度が低いという問題点を有している。
【０００６】
又、ベッドに横臥している者の生体信号を検知するにあたって、圧電センサは、敷き布団の下に配設される。そして、圧電センサは、ベッドに横臥している者がベッド上にて寝返りをした場合においても、ベッドに横臥している者の生体信号を継続して検知できるようにベッド（敷き布団）の幅に略合致した帯状に形成されている。一方、圧電センサを使用していない時は保管場所の省スペース化を図るため、折り畳んでコンパクトな状態にできることが要求される。
【０００７】
本発明は、高感度及び高速応答にて生体信号（脈波、呼吸信号など）などの微弱振動を検知することができると共に、保管又は輸送時には折り畳んでコンパクトにすることができる圧電センサ構造体を提供する。
【課題を解決するための手段】
【０００８】
本発明の圧電センサ構造体は、所定間隔を存して配設された複数個の振動受信板と、
圧電シート、上記圧電シートの一面に積層一体化されたシグナル電極及び上記圧電シートの他面に積層一体化されたグランド電極を有し且つ上記複数個の振動受信板上に掛け渡された状態で配設された圧電センサとを有する圧電センサ構造体本体、及び
上記圧電センサ構造体本体の両面に配設されたシールド層を有し、上記振動受信板間において屈曲させて折り畳み可能に構成されていることを特徴とする。
【発明の効果】
【０００９】
本発明は、上述の如き構成を有しているので、被測定者の呼吸や心拍などの生体活動に伴う振動を振動受信板が受止し、振動受信板が受止した振動を圧電センサに伝達して圧電センサが検知するため、圧電センサの面積を大きくする必要がない。従って、圧電センサのシグナル電極とグランド電極との間に仮想的に構成されたコンデンサの静電容量を小さくすることができ、圧電センサは、微弱振動の検知を高感度で且つ高速に行うことができる。
【００１０】
複数の振動受信板が所定間隔を存して配設されていることから、振動受信板間において、屈曲させることによって圧電センサ構造体をコンパクトな状態に折り畳むことができ、保管及び輸送時に容易に小型化を図ることができる。
【００１１】
そして、圧電シート構造体上における振動発生源（例えば、ベッド上に横臥した者、通路を歩行する者、コンクリート構造物の壁面など）の位置又は形状に対応して、複数の振動受信板が互いに相対的に変位することによって振動発生源の形状に沿った状態に配列し、この振動受信板の配列に伴って、これら振動受信板上に配設されている圧電センサも変形しながら振動発生源の形状に沿った状態に変形する。従って、圧電センサによって、振動発生源が発する微弱振動を高感度で且つ高速に検知することができる。
【００１２】
上記圧電センサ構造体において、圧電センサの上下幅が、振動受信板の上下幅よりも小さい場合には、圧電センサのシグナル電極とグランド電極との間に仮想的に構成されたコンデンサの静電容量を小さくすることができ、圧電センサは、振動発生源の発する微弱振動の検知を高感度で且つ高速に行うことができる。
【００１３】
上記圧電センサ構造体において、シグナル電極及びグランド電極と、圧電センサ構造体本体の両面に配設されたシールド層とが一体化されていない場合には、圧電センサとシールド層との間に仮想的に構成された電気シールドコンデンサの静電容量を小さくすることができ、圧電センサは、振動発生源の発する微弱振動の検知を高感度で且つ高速に行うことができる。
【００１４】
上記圧電センサ構造体の圧電センサにおいて、シグナル電極及び／又はグランド電極は、圧電シートの一部にのみ積層一体化されており、上記圧電シートの一部が露出している場合には、圧電センサのシグナル電極とグランド電極との間に仮想的に構成されたコンデンサの静電容量を小さくすることができ、圧電センサは、振動発生源の発する微弱振動の検知を高感度で且つ高速に行うことができる。
【図面の簡単な説明】
【００１５】
【図１】本発明の圧電センサ構造体を示した分解斜視図である。
【図２】本発明の圧電センサ構造体を示した断面図である。
【図３】本発明の圧電センサ構造体を示した断面図である。
【図４】圧電センサの他の一例を示した分解斜視図である。
【図５】圧電センサの他の一例を示した分解斜視図である。
【図６】圧電センサの他の一例を示した分解斜視図である。
【図７】本発明の圧電センサ構造体を示した断面図である。
【図８】本発明の圧電センサ構造体の使用状態を示した模式図である。
【図９】振動受信板の他の一例を示した平面図（ａ）及び断面図（ｂ）である。
【図１０】振動受信板の他の一例を示した平面図（ａ）及び断面図（ｂ）である。
【発明を実施するための形態】
【００１６】
本願発明の圧電センサ構造体の一例を図面を参照しつつ説明する。以下の説明においては、振動発生源が、ベッド上に横臥した被測定者Ｐであること一例として挙げて説明するが、振動発生源は、ベッド上に横臥した被測定者Ｐに限定されるものではない。
【００１７】
圧電センサ構造体Ａは、図１〜３に示したように、複数枚の振動受信板１を有している。振動受信板１は、被測定者Ｐの荷重を受止することができればよい。振動受信板１は、被測定者Ｐの荷重によって被測定者Ｐの体形に沿った形状に撓む程度の可撓性を有していることが好ましい。このように、振動受信板１が上記可撓性を有していることによって、振動受信板１が被測定者Ｐの荷重によって被測定者の体形に沿って変形し、振動受信板１の変形によって振動受信板１上に配設されている後述する圧電センサ２も被測定者の体形に沿って変形させた状態とすることができる。そして、振動受信板１によって被測定者Ｐを確実に受止しており、被測定者Ｐの生体活動によって生じた振動を圧電センサ２及び振動受信板１によって確実に受止して圧電センサ２によって被測定者Ｐの生体信号を精度良く検知することができる。なお、振動受信板１としては、特に限定されず、例えば、ポリカーボネート板、ポリオレフィン板、ポリエステル板、ポリ塩化ビニル板などの合成樹脂板などが挙げられる。振動受信板１の厚みは、０．１〜１．０ｍｍが好ましい。振動受信板１の上下寸法（被測定者Ｐの身長方向の寸法）は、圧電センサ構造体の用途にもよるが、例えば、被測定者Ｐの胸部をカバーできる程度の上下寸法が好ましく、具体的には、２５〜３５ｃｍが好ましい。
【００１８】
振動受信板１は、図１に示したように、一定の厚みを有し且つ平面長方形状に形成されている。なお、振動受信板１は、平面長方形状に限られず、例えば、円形状、長方形以外の多角形状であってもよい。振動受信板１における圧電センサ２の配設面とは反対の面に帯電防止層を形成して、電磁波の遮蔽効果を付与してもよい。なお、帯電防止層は、振動受信板１の表面に公知の帯電防止剤を塗布、乾燥させて形成すればよい。
【００１９】
複数の振動受信板１は、左右方向（上下方向に直交する方向）に互いに所定間隔を存して直列状に配設されている。図１に示したように、３個の振動受信板１が直列状に配設されている場合、中央の振動受信板1aの左右幅は、両側に位置する振動受信板1b、1bの左右幅よりも大きくなるように構成されていることが好ましい。被測定者Ｐは、中央の振動受信板1a上に位置している確率が高く、中央の振動受信板1aの左右幅を両側に位置する振動受信板1b、1bの左右幅よりも大きくすることによって、被測定者Ｐの荷重を安定的に受止することができ、被測定者Ｐの生体活動によって生じた振動を圧電センサ２及び振動受信板１によって更に確実に受止し、圧電センサ２によって被測定者Ｐの生体信号を更に精度良く検知することができる。
【００２０】
互いに隣接する振動受信板１、１間の間隔は、振動受信板１、１間において圧電センサ構造体Ａを屈曲させることができる程度の距離を有しておればよい。互いに隣接する振動受信板間の距離は、１〜３ｃｍが好ましい。互いに隣接する振動受信板１、１間の間隔を上記範囲とすると、互いに隣接する振動受信板１、１間に位置する被測定者Ｐの荷重も振動受信板１によって確実に受止することができる。
【００２１】
左右方向に直列状に配列された複数の振動受信板１上に帯状の可撓性を有する圧電センサ２が配設されることによって圧電センサ構造体本体Ｂが構成されている。圧電センサ２は、直列状に配列されている複数の振動受信板１全体の左右方向の長さよりも長い左右長さを有し且つ振動受信板１の上下寸法よりも短い上下寸法を有している。
【００２２】
そして、帯状の圧電センサ２は、振動受信板１の上下方向の中央部において、直列状に配列された振動受信板(1a、1b、1b)の全てに掛け渡された状態に配設されている。なお、圧電センサ２は、各振動受信板１の上面に両面粘着テープなどの固定手段３を介して一体化されている。
【００２３】
圧電センサ２は、上述のように、直列状に配列された振動受信板１の全てに掛け渡され、複数の振動受信板１に全体的に且つ安定的に支持されている。従って、圧電センサ２は、被測定者Ｐの生体活動による振動を安定的に感知し、被測定者Ｐの生体信号を精度良く検知することができる。
【００２４】
更に、被測定者Ｐの生体活動による振動は振動受信板１によっても受止され、この振動によって振動受信板１が振動し、この振動が圧電センサ２に伝達され、被測定者Ｐの生体信号を検知することができる。
【００２５】
圧電センサ２は、上述のように、振動受信板１を介して被測定者Ｐの生体活動による振動を検知することができるため、圧電センサ２の面積を大きくする必要がなく、面積の狭小化を図ることができる。そして、圧電センサ２の面積の狭小化によって、圧電センサ２のシグナル電極22とグランド電極23との間に仮想的に形成されるコンデンサの静電容量を小さくすることができる。よって、圧電センサ２の高感度化及び高速応答化を図ることができ、被測定者Ｐの生体信号を精度良く且つ迅速に検知することができる。
【００２６】
そして、圧電センサ２は、振動受信板１上に一体化されている一方、振動受信板１は、互いに隣接する振動受止板１、１同士が自由に相対的に変位可能に構成されていることから、被測定者Ｐによる荷重によって振動受信板１が被測定者Ｐの体形に沿って相対変位することによって被測定者Ｐの荷重を安定的に支持する。更に、振動受信板１上に一体化されている圧電センサ２も振動受信板１の変位に追従して被測定者Ｐの体形に沿った状態に変形し、圧電センサ２は、被測定者Ｐの生体信号を精度良く検知することができる。
【００２７】
圧電センサ２は、圧電シート21と、この圧電シート21の一面に積層されたシグナル電極22と、上記圧電シート21の他面に積層されたグランド電極23とを有している。グランド電極23を基準電極としてシグナル電極22の電位を測定することによって、圧電センサ２の圧電シート21にて発生した電位を測定することができる。圧電シート21は、合成樹脂シートを汎用の方法を用いて帯電させることによって構成されている。シグナル電極22及びグランド電極23は、例えば、金属箔及び金属薄膜などの導電性シートから形成されている。
【００２８】
シグナル電極22は、圧電シート21の全面に形成されていてもよいが、図４に示したように、シグナル電極22に切欠き部22aを形成し、圧電シート21の一面に積層した状態において、シグナル電極22が積層されていない部分を形成してもよい。このように、圧電シート21の一部にのみシグナル電極22を積層一体化することによって、圧電センサ２のシグナル電極22とグランド電極23との間に仮想的に構成されたコンデンサの静電容量を小さくし、圧電センサ２の高感度化及び高速応答化を図ることができ、被測定者Ｐの生体信号を精度良く且つ迅速に検知することができる。
【００２９】
具体的には、切欠き部22aが形成されたシグナル電極22としては、例えば、平面長方形状体の短辺縁（長辺縁）に開口し且つ長辺方向（短辺方向）に長い平面長方形状の切欠き部22aを複数個、互いに平行に形成することによって、櫛歯状に形成されてなるシグナル電極22（図４）、平面長方形状体の互いに対向する一方の長辺縁（短辺縁）に開口し且つ短辺方向（長辺方向）に長い平面長方形状の切欠き部22a1と、互いに対向する他方の長辺縁（短辺縁）に開口し且つ短辺方向（長辺方向）に長い平面長方形状の切欠き部22a2とを長辺方向（短辺方向）に交互に形成することによって、蛇行状に形成されてなるシグナル電極22（図５）、平面円形状などの貫通孔を複数形成してなるシグナル電極22（図６）などが挙げられる。
【００３０】
上記では、シグナル電極22に切欠き部22aを形成した場合を説明したが、グランド電極23に切欠き部を形成した場合であっても、圧電センサ２のシグナル電極とグランド電極との間に仮想的に構成されたコンデンサの静電容量を小さくし、圧電センサ２の高感度化及び高速応答化を図ることができ、被測定者Ｐの生体信号を精度良く且つ迅速に検知することができる。
【００３１】
更に、圧電センサ構造体本体Ｂの両面には可撓性を有する外装シート４、４が配設されている。外装シート４は、シールド層41と、このシールド層41の外面に積層一体化された電気絶縁性シート42と、上記シールド層41の内面に積層一体化された接着層43とを有している。
【００３２】
圧電センサ構造体Ａは、使用環境下において、電子機器、通信機器、タップ及び送電線などから発生する電磁波ノイズの影響を受ける。上記シールド層41は、圧電センサ２を上記電磁波ノイズから遮蔽できればよく、例えば、アルミニウム箔などの金属箔、金属薄膜などが挙げられる。なお、金属薄膜は、電気絶縁性シート42に担持されておればよい。
【００３３】
上記電気絶縁性シート42としては、特に限定されず、例えば、合成樹脂シートなどが挙げられる。接着層43は、シールド層41及び電気絶縁性シート42を損なわない程度の温度に加熱することによって溶融し、接着性を発現する合成樹脂層（ポリエチレン層など）などが挙げられる。
【００３４】
圧電センサ構造体本体Ｂの両面に配設された外装シート４、４同士はこれらの接着層43、43の対向する外周縁部同士が一体化されて袋体とされており、この袋体内に圧電センサ構造体本体Ｂが収納されて圧電センサ構造体Ａが構成されている。
【００３５】
圧電センサ２と、振動受信板１側の外装シート４(4a)のシールド層41との間には振動受信板１が介在していると共に、圧電センサ２と外装シート4aとは一体化されておらず、更に、圧電センサ２と、振動受信板１とは反対側の外装シート４(4b)とも一体化されていないので、シグナル電極22、グランド電極23及びシールド層41、41の間に仮想的に構成されるコンデンサの静電容量を小さくし、圧電センサ２の高感度化及び高速応答化を図ることができ、被測定者Ｐの生体信号を精度良く且つ迅速に検知することができる。
【００３６】
圧電センサ２のシグナル電極22及びグランド電極23には導電線Ｌが電気的に接続されており、グランド電極23を基準電極として、シグナル電極22の電位を測定することによって、被測定者Ｐの生体信号を検知することができる。
【００３７】
又、圧電シートの出力信号を差動入力回路に入力することにより、不要なコモンモード・ノイズ（同相雑音）を除去することができ、差動増幅量も小さくすむため、圧電センサ２の高感度化及び高速応答化を図ることができると共に、被測定者Ｐの微弱な生体信号を感度良く検知することができる。なお、差動入力回路とは、これに入力される入力信号に含まれている不要なコモンモード・ノイズ（同相雑音）を除去し、必要な電位信号だけを取り出す回路をいう。即ち、差動入力回路は、これに入力された入力信号の差動成分だけを取り出して同相成分を除去する回路をいう。
【００３８】
そして、上述した圧電センサ構造体Ａは、複数個の振動受信板１が所定間隔を存して直列状に配設され、振動受信板１上に可撓性を有する圧電センサ２を配設して圧電センサ構造体本体Ｂを構成し、この圧電センサ構造体本体Ｂをその両面から可撓性を有する外装シート４、４で被覆してなるので、互いに隣接する振動受信板１、１間において屈曲させることによって簡単に折り畳むことができ、保管時及び輸送時のコンパクト化を図ることができる（図７参照）。
【００３９】
次に、圧電センサ構造体Ａの使用要領について説明する。圧電センサ構造体Ａは、被測定者Ｐの下方に配設して用いられる。例えば、圧電センサ構造体Ａは、ベッド上に横臥している被測定者Ｐの呼吸信号の検知に用いることができる。圧電センサ構造体Ａは、図８に示したように、ベッドのマットレスと敷布団との間に配設され、被測定者Ｐの胸部の下方に位置するように配設される。
【００４０】
圧電センサ構造体Ａは、その長さ方向の寸法がベッドの幅寸法に略合致しており、ベッドＣのマットレスと敷布団との間に配設された状態において、ベッドＣの幅方向の全長に亘って配設された状態となる。従って、被測定者Ｐが寝返りをうつなどしてベッドＣの幅方向に移動したとしても、被測定者Ｐの生体信号を確実に検知することができる。
【００４１】
そして、被測定者ＰがベッドＣの幅方向の何れの位置に横臥していても、圧電センサ構造体Ａの振動受信板１のそれぞれが被測定者Ｐの体形に合わせて変位し、被測定者Ｐの体形に沿った状態に安定的に支持する。
【００４２】
特に、圧電センサ構造体Ａが３個の振動受信板１を有しており、中央の振動受信板1aの左右幅が、両側に位置する振動受信板1b、1bの左右幅よりも大きくなるように構成されている場合には、被測定者Ｐが最も高い確率で横臥しているベッドの中央部においては、左右幅の広い、中央の振動受信板1aが被測定者Ｐを安定的に支持する一方、ベッドの幅方向の端部においては、中央の振動受信板1aと、両側に位置する振動受信板1b、1bのうちの何れか一方の振動受信板1bとが、被測定者Ｐの体形に沿って被測定者Ｐを安定的に支持できるように変位して、被測定者Ｐを安定的に支持する。従って、圧電センサ構造体Ａの圧電センサ２は、被測定者Ｐの生体信号を精度良く検知することができる。
【００４３】
更に、圧電センサ構造体Ａは、被測定者Ｐの生体活動による振動を振動受信板１が受止し、この振動を圧電センサ２に伝達することによって圧電センサ２は被測定者Ｐの生体信号を検知可能に構成しているので、圧電センサ２における被測定者Ｐの受止面の面積を小さくすることができる。従って、圧電センサ２のシグナル電極22とグランド電極23との間に仮想的に構成されるコンデンサの静電容量を小さくすることができ、圧電センサ２は、被測定者Ｐの生体信号を高感度で高速に応答することができる。
【００４４】
上述した圧電センサ構造体Ａにおいて、振動受信板１が、平坦な表面を有する一定厚みの板状体である場合を説明したが、これに限定されない。具体的には、図９に示したように、振動受信板１に、上下左右方向に所定間隔ごとに両面間に亘って貫通する貫通孔1cを複数形成していてもよい。このように、振動受信板１に複数個の貫通孔1cを形成することによって、振動受信板１の可撓性を向上させ、被測定者Ｐの荷重によって被測定者Ｐの体形に沿って変形し易くして、被測定者Ｐをより安定的に受止可能とすると共に、被測定者Ｐの生体活動による振動をより確実に受止し、圧電センサ２によって被測定者Ｐの生体信号をより精度良く検知することができる。
【００４５】
又、図１０に示したように、振動受信板１における被測定者Ｐの受止面に、上下左右方向に所定間隔ごとに複数個の凸部1dを形成してもよい。振動受信板１に凸部1dを形成することによって、被測定者Ｐの荷重を振動受信板１の凸部1d及びこれに上載している圧電センサ２部分に概ね集中させることができ、圧電センサ２によって被測定者Ｐの生体信号をより精度良く検知することができる。
【００４６】
上記では、圧電センサ構造体Ａを用いてベッド上に横臥している被測定者Ｐの生体信号を検知する場合を例に挙げて説明したが、圧電センサ構造体Ａは、微小振動の検知を高感度にて高速に応答することができるので、被測定者Ｐの生体信号の検知用途以外にも用いることができ、例えば、橋梁、ビルなどのインフラ設備の異常振動検知による老朽検知、各種設備に用いられるモーターなどの回転装置の異常振動検知、セキュリティーを必要とする場所の異常振動検知による不審者検知などの用途にも好適に用いることができる。
【符号の説明】
【００４７】
１     振動受信板
２     圧電センサ
３     固定手段
４     外装シート
21     圧電シート
22     シグナル電極
23     グランド電極
41     シールド層
42     電気絶縁性シート
43     接着層
Ａ     圧電センサ構造体
Ｂ     圧電センサ構造体本体
Ｃ     ベッド
Ｐ     被測定者
【図１】
2018036060.tif 000003
【図２】
2018036060.tif 000004
【図３】
2018036060.tif 000005
【図４】
2018036060.tif 000006
【図５】
2018036060.tif 000007
【図６】
2018036060.tif 000008
【図７】
2018036060.tif 000009
【図８】
2018036060.tif 000010
【図９】
2018036060.tif 000011
【図１０】
2018036060.tif 000012